(57)【特許請求の範囲】
【請求項１】
ユニットルームを構成するユニットルーム構成部材に対し被取付物を取り付ける取付具であって、前記ユニットルーム構成部材は、周壁部を有し、この周壁部は、該周壁部の主たる部分をなす上方に立ち上がる周壁部主部と、この周壁部主部の上端部またはその付近から外方横方向に張り出す横方向張り出し部と、この横方向張り出し部の先端部またはその付近から上方に立ち上がる上方突出部と、前記横方向張り出し部の先端部またはその付近から下方に突出する下方突出部とを有している取付具において、
前記周壁部に取り付けられる基部と、
前記被取付物を取り付けられる被取付物取付部とを有してなり、
前記基部はさらに、
前記周壁部の前記上方突出部および前記下方突出部の外方に位置されることとなる外側部と、
前記周壁部の前記上方突出部の上方に位置することとなるように前記外側部から前記ユニットルーム構成部材内方へ向かう方向となる方向に折り曲げないしは湾曲されて形成されている跨がり部と、
前記周壁部の前記上方突出部の内方に位置することとなるように前記跨がり部から下方に折り曲げられて形成されている上側内接部と、
前記周壁部の前記下方突出部の下方に位置することとなるように前記外側部から前記ユニットルーム構成部材内方へ向かう方向となる方向に折り曲げられて形成されている下方受け部と、
前記周壁部の前記下方突出部の内方に位置することとなるように前記下方受け部から上方に折り曲げられて形成されている下側内接部とを有し、
前記外側部と前記跨がり部と前記上側内接部との間に前記周壁部の前記上方突出部が嵌合されるとともに、前記外側部と前記下方受け部と前記下側内接部との間に前記周壁部の前記下方突出部が嵌合されることにより、前記基部が前記周壁部に取り付けられるようになっており、
前記周壁部の前記上方突出部の頂部と前記下方突出部の最下部との間の距離は、前記周壁部のうちの当該取付具が取り付けられるべき位置（以下、「取付具取付位置」と記す）を含む所定の長さに渡る区間（以下、「取付具取付区間」と記す）では大きくされている一方、前記取付具取付区間に隣接する区間（以下、「隣接区間」と記す）においては、前記取付具取付区間から遠い位置では小さく、前記取付具取付区間へ近付く程、前記取付具取付区間における距離に近付くように漸次増大されており、
当該取付具を前記隣接区間から前記取付具取付区間までスライドさせて行くと、前記跨がり部と前記下方受け部との間に前記周壁部の前記上方突出部および前記下方突出部がきつく挟まれるようになっているユニットルーム構成部材に対し被取付物を取り付ける取付具。
【請求項２】
ユニットルームを構成するユニットルーム構成部材に対し被取付物を取り付ける取付具であって、前記ユニットルーム構成部材は、周壁部を有し、この周壁部は、該周壁部の主たる部分をなす上方に立ち上がる周壁部主部と、この周壁部主部の上端部またはその付近から外方横方向に張り出す横方向張り出し部と、この横方向張り出し部の先端部またはその付近から上方に立ち上がる上方突出部と、前記横方向張り出し部の先端部またはその付近から下方に突出する下方突出部とを有している取付具において、
前記周壁部に取り付けられる基部と、
前記被取付物を取り付けられる被取付物取付部とを有してなり、
前記基部はさらに、
前記周壁部の前記上方突出部および前記下方突出部の外方に位置されることとなる外側部と、
前記周壁部の前記上方突出部の上方に位置することとなるように前記外側部から前記ユニットルーム構成部材内方へ向かう方向となる方向に折り曲げないしは湾曲されて形成されている跨がり部と、
前記周壁部の前記上方突出部の内方に位置することとなるように前記跨がり部から下方に折り曲げられて形成されている上側内接部と、
前記周壁部の前記下方突出部の下方に位置することとなるように前記外側部から前記ユニットルーム構成部材内方へ向かう方向となる方向に折り曲げられて形成されている下方受け部と、
前記周壁部の前記下方突出部の内方に位置することとなるように前記下方受け部から上方に折り曲げられて形成されている下側内接部とを有し、
前記外側部と前記跨がり部と前記上側内接部との間に前記周壁部の前記上方突出部が嵌合されるとともに、前記外側部と前記下方受け部と前記下側内接部との間に前記周壁部の前記下方突出部が嵌合されることにより、前記基部が前記周壁部に取り付けられるようになっており、
前記周壁部の前記下方突出部の厚さは、前記取付具取付位置においては、幅方向両端から中心へ向かって漸次増大されており、その幅方向中心において最も厚くなるようにされており、
当該取付具を前記取付具取付位置までスライドさせて行くと、前記外側部と前記下側内接部との間に前記下方突出部がきつく挟まれるようになっているユニットルーム構成部材に対し被取付物を取り付ける取付具。
【請求項３】
前記周壁部の前記周壁部主部の外面に当接される周壁部主部当接部をさらに有している請求項１または２記載のユニットルーム構成部材に対し被取付物を取り付ける取付具。
【請求項４】
ユニットルームを構成するユニットルーム構成部材に対し被取付物を取り付ける取付具であって、前記ユニットルーム構成部材は、周壁部を有し、この周壁部は、該周壁部の主たる部分をなす上方に立ち上がる周壁部主部と、この周壁部主部の上端部またはその付近から外方横方向に張り出す横方向張り出し部と、この横方向張り出し部の先端部またはその付近から上方に立ち上がる上方突出部と、前記横方向張り出し部の先端部またはその付近から下方に突出する下方突出部とを有している取付具において、
前記周壁部に取り付けられる基部と、
前記被取付物を取り付けられる被取付物取付部とを有してなり、
前記基部はさらに、
前記周壁部の前記上方突出部および前記下方突出部の外方に位置されることとなる外側部と、
前記周壁部の前記上方突出部の上方に位置することとなるように前記外側部から前記ユニットルーム構成部材内方へ向かう方向となる方向に折り曲げないしは湾曲されて形成されている跨がり部と、
前記周壁部の前記上方突出部の内方に位置することとなるように前記跨がり部から下方に折り曲げられて形成されている上側内接部と、
前記周壁部の前記下方突出部の下方に位置することとなるように前記外側部から前記ユニットルーム構成部材内方へ向かう方向となる方向に折り曲げられて形成されている下方受け部と、
前記周壁部の前記下方突出部の内方に位置することとなるように前記下方受け部から上方に折り曲げられて形成されている下側内接部とを有し、
前記外側部と前記跨がり部と前記上側内接部との間に前記周壁部の前記上方突出部が嵌合されるとともに、前記外側部と前記下方受け部と前記下側内接部との間に前記周壁部の前記下方突出部が嵌合されることにより、前記基部が前記周壁部に取り付けられるようになっている取付具であって、
かつ前記ユニットルーム構成部材の前記周壁部が構成するコーナー部に取り付けられる取付具であって、互いに別体である第一の部分と第二の部分とを有してなり、
前記第一の部分および前記第二の部分は、前記基部と，前記被取付物取付部とをそれぞれ有し、
前記コーナー部の一辺側において、前記第一の部分の前記外側部と前記跨がり部と前記上側内接部との間に前記上方突出部が嵌合されるとともに、前記第一の部分の前記外側部と前記下方受け部と前記下側内接部との間に前記下方突出部が嵌合されることにより、前記コーナー部の一辺側において、前記第一の部分の前記基部が前記周壁部に取り付けられる一方、
前記コーナー部の他辺側において、前記第二の部分の前記外側部と前記跨がり部と前記上側内接部との間に前記上方突出部が嵌合されるとともに、前記第二の部分の前記外側部と前記下方受け部と前記下側内接部との間に前記下方突出部が嵌合されることにより、前記コーナー部の他辺側において、前記第二の部分の前記基部が前記周壁部に取り付けられるようになっており、
前記第一の部分および前記第二の部分の前記被取付物取付部に前記被取付物が取り付けられるようになっているユニットルーム構成部材に対し被取付物を取り付ける取付具。
【請求項５】
前記第一の部分および前記第二の部分は、互いに当接されて互いの位置を位置決めする部分間当接部をそれぞれ有している請求項４記載のユニットルーム構成部材に対し被取付物を取り付ける取付具。
【請求項６】
ユニットルームを構成するユニットルーム構成部材と、取付具と、この取付具を介して前記ユニットルーム構成部材に取り付けられた被取付物とを有してなる、ユニットルーム構成部材に対し被取付物を取り付ける取付構造において、
前記ユニットルーム構成部材は、外周に周壁部を有し、この周壁部は、該周壁部の主たる部分をなす上方に立ち上がる周壁部主部と、この周壁部主部の上端部またはその付近から外方横方向に張り出す横方向張り出し部と、この横方向張り出し部の先端部またはその付近から上方に立ち上がる上方突出部と、前記横方向張り出し部の先端部またはその付近から下方に突出する下方突出部とを有してなり、
前記取付具は、前記周壁部に取り付けられた基部と、前記被取付物を取り付けられた被取付物取付部とを有してなり、
前記取付具の前記基部はさらに、
前記周壁部の前記上方突出部および前記下方突出部の外方に位置されている外側部と、
前記外側部から前記ユニットルーム構成部材内方へ向かう方向となる方向に折り曲げないしは湾曲されて形成され、前記周壁部の前記上方突出部の上方に位置されている跨がり部と、
前記跨がり部から下方に折り曲げられて形成され、前記周壁部の前記上方突出部の内方に位置されている上側内接部と、
前記外側部から折り曲げられて形成され、前記周壁部の前記下方突出部の下方に位置されている下方受け部と、
前記下方受け部から上方に折り曲げられて形成され、前記周壁部の前記下方突出部の内方に位置されている下側内接部とを有してなり、
前記外側部と前記跨がり部と前記上側内接部との間に前記周壁部の前記上方突出部が嵌合されるとともに、前記外側部と前記下方受け部と前記下側内接部との間に前記周壁部の前記下方突出部が嵌合されていることにより、前記基部が前記周壁部に取り付けられており、
前記周壁部の前記上方突出部の頂部と前記下方突出部の最下部との間の距離は、前記取付具取付区間では大きくされている一方、前記隣接区間においては、前記取付具取付区間から遠い位置では小さく、前記取付具取付区間へ近付く程、前記取付具取付区間における距離に近付くように漸次増大されており、
当該取付具を前記隣接区間から前記取付具取付位置までスライドさせて行くことにより、前記跨がり部と前記下方受け部との間に前記周壁部の前記上方突出部および前記下方突出部がきつく挟まれているユニットルーム構成部材に対し被取付物を取り付ける取付構造。
【請求項７】
ユニットルームを構成するユニットルーム構成部材と、取付具と、この取付具を介して前記ユニットルーム構成部材に取り付けられた被取付物とを有してなる、ユニットルーム構成部材に対し被取付物を取り付ける取付構造において、
前記ユニットルーム構成部材は、外周に周壁部を有し、この周壁部は、該周壁部の主たる部分をなす上方に立ち上がる周壁部主部と、この周壁部主部の上端部またはその付近から外方横方向に張り出す横方向張り出し部と、この横方向張り出し部の先端部またはその付近から上方に立ち上がる上方突出部と、前記横方向張り出し部の先端部またはその付近から下方に突出する下方突出部とを有してなり、
前記取付具は、前記周壁部に取り付けられた基部と、前記被取付物を取り付けられた被取付物取付部とを有してなり、
前記取付具の前記基部はさらに、
前記周壁部の前記上方突出部および前記下方突出部の外方に位置されている外側部と、
前記外側部から前記ユニットルーム構成部材内方へ向かう方向となる方向に折り曲げないしは湾曲されて形成され、前記周壁部の前記上方突出部の上方に位置されている跨がり部と、
前記跨がり部から下方に折り曲げられて形成され、前記周壁部の前記上方突出部の内方に位置されている上側内接部と、
前記外側部から折り曲げられて形成され、前記周壁部の前記下方突出部の下方に位置されている下方受け部と、
前記下方受け部から上方に折り曲げられて形成され、前記周壁部の前記下方突出部の内方に位置されている下側内接部とを有してなり、
前記外側部と前記跨がり部と前記上側内接部との間に前記周壁部の前記上方突出部が嵌合されるとともに、前記外側部と前記下方受け部と前記下側内接部との間に前記周壁部の前記下方突出部が嵌合されていることにより、前記基部が前記周壁部に取り付けられており、
前記周壁部の前記下方突出部の厚さは、前記取付具取付位置においては、幅方向両端から中心へ向かって漸次増大されており、その幅方向中心において最も厚くなるようにされており、
当該取付具を前記取付具取付位置までスライドさせて行くことにより、前記外側部と前記下側内接部との間に前記下方突出部がきつく挟まれているユニットルーム構成部材に対し被取付物を取り付ける取付構造。
【請求項８】
ユニットルームを構成するユニットルーム構成部材と、取付具と、この取付具を介して前記ユニットルーム構成部材に取り付けられた被取付物とを有してなる、ユニットルーム構成部材に対し被取付物を取り付ける取付構造において、
前記ユニットルーム構成部材は、外周に周壁部を有し、この周壁部は、該周壁部の主たる部分をなす上方に立ち上がる周壁部主部と、この周壁部主部の上端部またはその付近から外方横方向に張り出す横方向張り出し部と、この横方向張り出し部の先端部またはその付近から上方に立ち上がる上方突出部と、前記横方向張り出し部の先端部またはその付近から下方に突出する下方突出部とを有してなり、
前記取付具は、前記周壁部に取り付けられた基部と、前記被取付物を取り付けられた被取付物取付部とを有してなり、
前記取付具の前記基部はさらに、
前記周壁部の前記上方突出部および前記下方突出部の外方に位置されている外側部と、
前記外側部から前記ユニットルーム構成部材内方へ向かう方向となる方向に折り曲げないしは湾曲されて形成され、前記周壁部の前記上方突出部の上方に位置されている跨がり部と、
前記跨がり部から下方に折り曲げられて形成され、前記周壁部の前記上方突出部の内方に位置されている上側内接部と、
前記外側部から折り曲げられて形成され、前記周壁部の前記下方突出部の下方に位置されている下方受け部と、
前記下方受け部から上方に折り曲げられて形成され、前記周壁部の前記下方突出部の内方に位置されている下側内接部とを有してなり、
前記外側部と前記跨がり部と前記上側内接部との間に前記周壁部の前記上方突出部が嵌合されるとともに、前記外側部と前記下方受け部と前記下側内接部との間に前記周壁部の前記下方突出部が嵌合されていることにより、前記基部が前記周壁部に取り付けられている取付構造であって、
かつ前記ユニットルーム構成部材の前記周壁部が構成するコーナー部における前記ユニットルーム構成部材に対する前記被取付物の取付構造であって、
前記取付具は互いに別体である第一の部分と第二の部分とを有してなり、
前記第一の部分および前記第二の部分は、前記基部および前記被取付物取付部をそれぞれ有し、
前記コーナー部の一辺側において、前記第一の部分の前記外側部と前記跨がり部と前記上側内接部との間に前記上方突出部が嵌合されるとともに、前記第一の部分の前記外側部と前記下方受け部と前記下側内接部との間に前記下方突出部が嵌合されることにより、前記コーナー部の一辺側において、前記第一の部分の前記基部が前記周壁部に取り付けられている一方、
前記コーナー部の他辺側において、前記第二の部分の前記外側部と前記跨がり部と前記上側内接部との間に前記上方突出部が嵌合されるとともに、前記第二の部分の前記外側部と前記下方受け部と前記下側内接部との間に前記下方突出部が嵌合されていることにより、前記コーナー部の他辺側において、前記第二の部分の前記基部が前記周壁部に取り付けられており、
前記第一の部分および前記第二の部分の前記被取付物取付部に前記被取付物が取り付けられているユニットルーム構成部材に対し被取付物を取り付ける取付構造。
【発明の詳細な説明】
【技術分野】
【０００１】
本発明は、ユニットバス等のユニットルームを構成するユニットルーム構成部材（例えば、防水パン、浴槽、それらの一体成形品等）に対し被取付物（例えば、フレーム、壁パネル等）を取り付ける、ユニットルーム構成部材に対し被取付物を取り付ける取付具および取付構造に関する。
【背景技術】
【０００２】
従来、ユニットバス（システムバスと称されることもある）の防水パンに取付具およびフレーム（支柱、ジョイナー等と称されることもある）等を介して壁パネル等を取り付ける取付構造においては、例えば特許文献１に開示されているように、取付具をビスを用いて防水パンに取り付けていた。
【先行技術文献】
【特許文献】
【０００３】
【特許文献１】特開２００８−１２１３５２号公報
【発明の概要】
【発明が解決しようとする課題】
【０００４】
しかし、前記従来技術においては、ビス止め作業が必要になるため、取付具を防水パンに取り付ける取付作業に時間が掛かり、作業性が悪いという問題があった。
【０００５】
しかも近年においては、ユニットバス等のユニットルームによって構成される室の有効床面積をなるべく大きくするため、防水パンの外方にはなるべくスペースを生じさせないようにする傾向にあり、これが取付具の取付作業の作業性をさらに悪化させることとなっていた。
【０００６】
本発明は、このような従来の事情に鑑みてなされたもので、本発明の目的は、ユニットルーム構成部材に対し取付具を、ビスを用いることなく、容易かつ迅速に取り付けることができる、ユニットルーム構成部材に対し被取付物を取り付ける取付具および取付構造を提供することにある。
【０００７】
本発明のさらに他の目的は、以下の説明から明らかになろう。
【課題を解決するための手段】
【０００８】
本発明によるユニットルーム構成部材に対し被取付物を取り付ける取付具は、
ユニットルームを構成するユニットルーム構成部材に対し被取付物を取り付ける取付具であって、前記ユニットルーム構成部材は、周壁部を有し、この周壁部は、該周壁部の主たる部分をなす上方に立ち上がる周壁部主部と、この周壁部主部の上端部またはその付近から外方横方向に張り出す横方向張り出し部と、この横方向張り出し部の先端部またはその付近から上方に立ち上がる上方突出部と、前記横方向張り出し部の先端部またはその付近から下方に突出する下方突出部とを有している取付具において、
前記周壁部に取り付けられる基部と、
前記被取付物を取り付けられる被取付物取付部とを有してなり、
前記基部はさらに、
前記周壁部の前記上方突出部および前記下方突出部の外方に位置されることとなる外側部と、
前記周壁部の前記上方突出部の上方に位置することとなるように前記外側部から前記ユニットルーム構成部材内方へ向かう方向となる方向に折り曲げないしは湾曲されて形成されている跨がり部と、
前記周壁部の前記上方突出部の内方に位置することとなるように前記跨がり部から下方に折り曲げられて形成されている上側内接部と、
前記周壁部の前記下方突出部の下方に位置することとなるように前記外側部から前記ユニットルーム構成部材内方へ向かう方向となる方向に折り曲げられて形成されている下方受け部と、
前記周壁部の前記下方突出部の内方に位置することとなるように前記下方受け部から上方に折り曲げられて形成されている下側内接部とを有し、
前記外側部と前記跨がり部と前記上側内接部との間に前記周壁部の前記上方突出部が嵌合されるとともに、前記外側部と前記下方受け部と前記下側内接部との間に前記周壁部の前記下方突出部が嵌合されることにより、前記基部が前記周壁部に取り付けられるようになっているものである。
【０００９】
また、本発明によるユニットルーム構成部材に対し被取付物を取り付ける取付構造は、
ユニットルームを構成するユニットルーム構成部材と、取付具と、この取付具を介して前記ユニットルーム構成部材に取り付けられた被取付物とを有してなる、ユニットルーム構成部材に対し被取付物を取り付ける取付構造において、
前記ユニットルーム構成部材は、外周に周壁部を有し、この周壁部は、該周壁部の主たる部分をなす上方に立ち上がる周壁部主部と、この周壁部主部の上端部またはその付近から外方横方向に張り出す横方向張り出し部と、この横方向張り出し部の先端部またはその付近から上方に立ち上がる上方突出部と、前記横方向張り出し部の先端部またはその付近から下方に突出する下方突出部とを有してなり、
前記取付具は、前記周壁部に取り付けられた基部と、前記被取付物を取り付けられた被取付物取付部とを有してなり、
前記取付具の前記基部はさらに、
前記周壁部の前記上方突出部および前記下方突出部の外方に位置されている外側部と、
前記外側部から前記ユニットルーム構成部材内方へ向かう方向となる方向に折り曲げないしは湾曲されて形成され、前記周壁部の前記上方突出部の上方に位置されている跨がり部と、
前記跨がり部から下方に折り曲げられて形成され、前記周壁部の前記上方突出部の内方に位置されている上側内接部と、
前記外側部から折り曲げられて形成され、前記周壁部の前記下方突出部の下方に位置されている下方受け部と、
前記下方受け部から上方に折り曲げられて形成され、前記周壁部の前記下方突出部の内方に位置されている下側内接部とを有してなり、
前記外側部と前記跨がり部と前記上側内接部との間に前記周壁部の前記上方突出部が嵌合されるとともに、前記外側部と前記下方受け部と前記下側内接部との間に前記周壁部の前記下方突出部が嵌合されていることにより、前記基部が前記周壁部に取り付けられているものである。
【００１０】
本発明においては、ユニットルーム構成部材に対し、ビスを用いることなく、取付具を取り付けることができるので、容易かつ迅速に取付作業を行うことができる。
【００１１】
また、ユニットルーム構成部材の周壁部の上方突出部の頂部と下方突出部の最下部との間の距離を、周壁部のうちの取付具が取り付けられるべき位置（以下、「取付具取付位置」と記す）を含む所定の長さに渡る区間（以下、「取付具取付区間」と記す）では大きくする一方、取付具取付区間に隣接する区間（以下、「隣接区間」と記す）においては、取付具取付区間から遠い位置では小さく、取付具取付区間へ近付く程、取付具取付区間における距離に近付くように漸次増大するようにし、取付具を隣接区間から取付具取付区間までスライドさせて行くと、跨がり部と下方受け部との間に周壁部の上方突出部および下方突出部がきつく挟まれるようにすれば、ユニットルーム構成部材に対し取付具を容易かつ迅速、しかも非常に強固に取り付けることができる。
【発明の効果】
【００１２】
本発明のユニットルーム構成部材に対し被取付物を取り付ける取付具および取付構造は、ビスを用いることなく、容易かつ迅速にユニットルーム構成部材に対し取付具を取り付けることができる。
【図面の簡単な説明】
【００１３】
【図１】本発明の実施例１における防水パンを示す平面図である。
【図２】図１の防水パンの中間部のＡ方向矢視図である。
【図３】図２のＩＩＩ−ＩＩＩ線における断面図である。
【図４】前記防水パンの中間部の下方突出部付近の底面図である。
【図５】実施例１におけるフラットフレーム取付具を示す斜視図である。
【図６】実施例１におけるフラットフレーム取付具を示す正面図である。
【図７】実施例１におけるフラットフレーム取付具を示す左側面図である。
【図８】実施例１におけるフラットフレーム取付具を示す平面図である。
【図９】実施例１において、取付具を防水パンの上縁部の中間部に取り付ける過程を示す図である（図１の矢視Ａ方向に見た図である）。
【図１０】実施例１において、防水パンに対する取付具の取り付けが完了し、さらに取付具にフラットフレームを取り付けた状態を示す断面図である。
【図１１】実施例１における取付具に対するフラットフレームの取付状態を示す正面図である。
【図１２】実施例１における取付具に対するフラットフレームの取付状態を示す平面図である。
【図１３】図１の防水パンのコーナー部のＡ方向矢視図である。
【図１４】図１３のＸＩＶ−ＸＩＶ線における断面図である。
【図１５】実施例２におけるコーナーフレーム取付具の第一の部分を示す斜視図である。
【図１６】実施例２におけるコーナーフレーム取付具の第一の部分を示す正面図である。
【図１７】実施例２におけるコーナーフレーム取付具の第一の部分を示す左側面図である。
【図１８】実施例２におけるコーナーフレーム取付具の第一の部分を示す右側面図である。
【図１９】実施例２におけるコーナーフレーム取付具の第一の部分を示す平面図である。
【図２０】実施例２におけるコーナーフレーム取付具の第二の部分を示す斜視図である。
【図２１】実施例２におけるコーナーフレーム取付具の第二の部分を示す正面図である。
【図２２】実施例２におけるコーナーフレーム取付具の第二の部分を示す左側面図である。
【図２３】実施例２におけるコーナーフレーム取付具の第二の部分を示す右側面図である。
【図２４】実施例２におけるコーナーフレーム取付具の第二の部分を示す平面図である。
【図２５】実施例２において、取付具を防水パンの上縁部のコーナー部に取り付ける過程を示す平面図である。
【図２６】実施例２において、取付具を防水パンの上縁部のコーナー部に取り付ける過程を示す図である（水平方向かつ図１の矢印Ａと垂直方向に見た図である）。
【図２７】実施例２において防水パンに対する取付具の取り付けが完了した状態を示す平面図である。
【図２８】実施例２において防水パンに対する取付具の取り付けが完了した状態を示す図である（水平方向かつ図１の矢印Ａと垂直方向に見た図である）。
【図２９】実施例２におけるコーナーフレームを示す斜視図である。
【図３０】実施例２における取付具に対するコーナーフレームの取付状態を示す平面図である。
【図３１】実施例２における取付具に対するコーナーフレームの取付状態を示す図である（水平方向かつ図１の矢印Ａと垂直方向に見た図である）。
【図３２】実施例３における一体成形品のうちの浴槽周縁部と洗い場部分との境界部付近を示す平面図である。
【図３３】図３２の浴槽周縁部のＢ方向矢視図である。
【図３４】実施例３におけるフラットフレーム取付具を示す斜視図である。
【図３５】実施例３において、一体成形品に対する取付具の取り付けが完了し、さらに取付具にフラットフレームを取り付けた状態を示す図である（水平方向かつ図３２の矢印Ｂと垂直方向に見た図である）。
【図３６】実施例３において、一体成形品に対する取付具の取り付けが完了し、さらに取付具にフラットフレームを取り付けた状態を示す図である（矢印Ｂ方向に見た図である）。
【発明を実施するための形態】
【００１４】
以下、本発明を図面に示す実施例に基づいて説明する。
【実施例１】
【００１５】
図１〜１２は本発明の実施例１を示している。本実施例は、本発明をユニットバスの防水パン（特に本実施例では、洗い場部を構成するもの）に対する壁パネルの取付構造およびそれに用いるフラットフレーム取付具に適用した例である。
【００１６】
まず、図１〜４により、本実施例における防水パン１を説明すると、防水パン１は、外周に周壁部２を有し、この周壁部２は、図３によく示されるように、該周壁部２の主たる部分をなす上方に立ち上がる周壁部主部２ａと、この周壁部主部２ａの上端部から外方横方向に張り出す横方向張り出し部２ｂと、この横方向張り出し部２ｂの先端部から上方に立ち上がる上方突出部２ｃと、前記横方向張り出し部２ｂの先端部から下方に突出する下方突出部２ｄとを一体的に有している。なお、本実施例では、横方向張り出し部２ｂおよび上方突出部２ｃは、周壁部２の全長に渡って設けられているが、下方突出部２ｄは、後述する取付具３を取り付ける箇所付近のみに設けられている。
【００１７】
図２は、防水パン１の周壁部２の中間部（コーナー部でない部分）における取付具３が取り付けられるべき部分付近を図１の矢印Ａ方向に見た図であり、符号５０は取付具３の取付具取付位置を示している。本実施例では、所定の長さに渡る取付具取付区間５１内に複数（具体的には５つ）の取付具取付位置５０が設定されている。取付具取付位置５０相互間には若干の間隔が設けられている。本実施例では、状況に応じて、前記複数の取付具取付位置５０のうちの１つを選択して該取付具取付位置５０に取付具を取り付ける。
【００１８】
前記取付具取付区間５１においては、下方突出部２ｄの最下部は水平に延びているが、取付具取付区間５１に隣接する両側の隣接区間５２，５３は勾配をなしている。これにより、上方突出部２ｃの頂部と下方突出部２ｄの最下部との間の距離Ｌ（図３参照）は、取付具取付区間５１では大きくされている一方、隣接区間５２，５３においては、取付具取付区間５１から遠い位置では小さく、取付具取付区間５１へ近付く程、取付具取付区間５１における距離に近付くように漸次増大されている。
【００１９】
図４は、防水パン１の中間部の下方突出部２ｄ付近の底面図（下方から見た図）であり、下方突出部２ｄの内面は次の構成となるように凹凸を設けられている。すなわち、隣接区間５２，５３および取付具取付区間５１の双方において、取付具取付位置５０以外の場所においては、下方突出部２ｄの厚さｔ（図３および４参照）は小さい同じ一定の値とされている。しかし、取付具取付位置５０においては、それぞれ幅方向両端から中心へ向かって厚さｔが漸次増大されており、その幅方向中心において最も厚さｔが厚くなるようにされている。符号５４，５５は、取付具取付位置５０における前述のように厚さｔを漸次増大させている勾配部分を示している。
【００２０】
なお、防水パン１のコーナー部における下方突出部２ｄの形状に関しては、実施例２で述べる。
【００２１】
図５〜８は、本実施例におけるフラットフレーム取付具３を示している。このフラットフレーム取付具３は、防水パン１の周縁部のうちのコーナー部以外の中間部に取り付けられるものであり、その全体をメッキ鋼板、ステンレス鋼板等の１枚の金属板からプレス加工されて一体的に構成されている。このフラットフレーム取付具３は、基部４と、被取付物取付部５と、周壁部主部当接部６とを有している。
【００２２】
前記基部４は、外側部７と、跨がり部８と、上側内接部９と、下方受け部１０と、下側内接部１１とを有している。前記外側部７は、平面状をなしていて、防水パン１の上方突出部２ｃおよび下方突出部２ｄの外方に位置されるようになっている。前記外側部７の中央部には、半円状ないしはＵ字状の穴１２が設けられており、この穴１２に取り囲まれる部分には舌状片１３が形成されている。前記舌状片１３には球面状の突起部１４が設けられている。
【００２３】
前記跨がり部８は、外側部７の幅方向両端部に設けられており、それぞれ防水パン１の上方突出部２ｃの上方に位置することとなるように外側部７から防水パン１内方へ向かう方向となる方向に折り曲げて形成されている。前記上側内接部９は、防水パン１の上方突出部２ｃの内方に位置することとなるように跨がり部８から下方に折り曲げられて形成されている。
【００２４】
前記下方受け部１０は、防水パン１の下方突出部２ｄの下方に位置することとなるように外側部７から防水パン１内方へ向かう方向となる方向に折り曲げられて形成されており、比較的に広い平面状をなしている。この下方受け部１０には、上方に突出する球面状の突起部１５が一対設けられている。前記下方受け部１０の幅方向両端部には、やや下方に傾斜して両外側に突出する案内部１６がそれぞれ設けられている。前記下側内接部１１は、防水パン１の下方突出部２ｄの内方に位置することとなるように下方受け部１０から上方に折り曲げられて形成されている。
【００２５】
前記被取付物取付部５は、背面部１７と、一対の側面部１８と、一対の抱え部１９と、フレーム載置部２０とを有している。前記背面部１７は、基部４の外側部７と同一平面をなしていて、外側部７に連続している。この背面部１７には、上端側を切り残され、下端が最も内方に突出するように斜めに切り起こされた切り起こし片２１が設けられている。この切り起こし片２１の下端は円弧状をなしている。前記背面部１７の上端には、やや外側に傾斜して上方に突出する案内部２２が設けられている。
【００２６】
前記側面部１８は、背面部１７の両側端部から防水パン１内方へ向かう方向となる方向に折り曲げて形成されている。各側面部１８には、上端側を切り残され、下端が最も内方に突出するように斜めに切り起こされた矩形状の切り起こし片２３がそれぞれ上下方向に並べて一対ずつ設けられている。各側面部１８の上端には、やや外側に傾斜して上方に突出する案内部２４がそれぞれ設けられている。
【００２７】
前記一対の抱え部１９は、各側面部１８の先端部から背面部１７と平行になるように内側に折り曲げて形成されている。各抱え部１９の上端には、やや外側に傾斜して上方に突出する案内部３８がそれぞれ設けられている。
【００２８】
前記周壁部主部当接部６は、下方受け部１０から防水パン１の周壁部主部２ａの傾斜に合わせて斜め下方に折り曲げられて形成されている。
【００２９】
次に、図９および１０により、防水パン１に対するフラットフレーム取付具３の取付方法を説明する。
【００３０】
まず、図９の一点鎖線で示されているように、防水パン１の周壁部２のうちの下方突出部２ｄが存在しない部分において、上方突出部２ｃが外側部７と下方受け部１０と下側内接部１１との間に収容される位置に取付具３を位置させる。
【００３１】
次に、図９の矢印で示されるように取付具３を隣接区間５３を経て、取付具取付区間５１内の取付具取付位置５０まで水平方向にスライドさせて行くと、図１０のように、外側部７と跨がり部８と上側内接部９との間に上方突出部２ｃが嵌合されるとともに、外側部７と下方受け部１０と下側内接部１１との間に下方突出部２ｄが嵌合され、取付具３が防水パン１に取り付けられる。
【００３２】
本実施例では、下方突出部２ｄに勾配をなす隣接区間５３が設けられていることにより、上方突出部２ｃの頂部と下方突出部２ｄの最下部との間の距離Ｌが、隣接区間５２，５３においては、取付具取付区間５１へ向かって漸次増大されているので、取付具取付位置５０まで取付具３がスライドされると、跨がり部８と下方受け部１０との間に上方突出部２ｃおよび下方突出部２ｄがきつく挟まれるようにすることができるため、防水パン１に取付具３を非常に強固に取り付けることができる。
【００３３】
また、本実施例では、取付具取付位置５０においては、図４のように、幅方向両端から中心へ向かって下方突出部２ｄの厚さｔが漸次増大されており、その幅方向中心において最も厚さｔが厚くなるようにされているので、取付具取付位置５０に達すると、外側部７と下側内接部１１との間に下方突出部２ｄがきつく挟まれるようにすることができるため、防水パン１に取付具３をさらに非常に強固に取り付けることができる。
【００３４】
また、本実施例では、下方受け部１０に上方に突出する突起部１５が設けられており、これらの突起部１５が下方突出部２ｄに強く押圧されるため、防水パン１に取付具３をより強固に取り付けることができる。その上、設計変更等により、防水パン１側の上方突出部２ｃの頂部と下方突出部２ｄの最下部との間の距離Ｌが多少変わっても、突起部１５の突出高さを調整することにより、取付具３の他の部分には変更を加えることなく対応できる。
【００３５】
また、本実施例では、外側部７の舌状片１３に設けられた突起部１４が弾力的に周壁部２の嵌合部分の外面に押圧されるので、これによっても防水パン１に取付具３をより強固に取り付けることができる。
【００３６】
また、本実施例では、金具３に周壁部主部当接部６が設けられており、図１０のように、周壁部主部当接部６が周壁部主部２ａの外面に当接された状態で取付具３が防水パン１の周壁部２に取り付けられるので、取付具３を防水パン１に、より安定した状態で取り付けることができる。
【００３７】
さらに本実施例では、下方受け部１０の幅方向両端部に傾斜した案内部１６が設けられているので、前記のように取付具３をスライドさせるとき（図９参照）、案内部１６が下方突出部２ｄに対する案内機能を果たすため、円滑にスライドさせることができる。
【００３８】
なお、図９は、取付具取付区間５１内の最も外側の取付具取付位置５０に取付具３を取り付ける場合を示しているが、より内側の取付具取付位置５０に取付具３を取り付ける場合は、取付具３が目的の取付具取付位置５０に達するまで、外側の取付具取付位置５０を通過させて取付具３をスライドさせる。
【００３９】
また、図９は取付具３を同図における左方から右方にスライドさせているが、逆に、取付具３を隣接区間５２の左方から右方にスライドさせ、該隣接区間５２を経て、取付具取付区間５１内の所望の取付具取付位置５０にまでスライドさせて行ってもよい。
【００４０】
防水パン１に取付具３を取り付けた後、図１０〜１２のように、フラットフレーム２５の下端部を被取付物取付部５の背面部１７と側面部１８と抱え部１９との間に挿入し、フラットフレーム２５の下端をフレーム載置部２０に当接させると、フラットフレーム２５が取付具３に取り付けられる。この取り付け状態では、背面部１７の切り起こし片２１がフラットフレーム２５に設けられた円形の穴２６に嵌合するとともに、２つの側面部１８の切り起こし片２３の下端部がフラットフレーム２５の両側面に押圧される。これにより、本実施例では、取付具３に対するフラットフレーム２５の取り付けをも、ビスを用いないで簡単かつ迅速、しかも強固に行うことができる。
【００４１】
さらに本実施例では、被取付物取付部５の背面部１７、側面部１８および抱え部１９の上端部に外開きに傾斜した案内部２２，２４，３８が設けられているので、前述のようにフラットフレーム２５の下端部を被取付物取付部５に挿入するとき、案内部２２，２４，３８がフラットフレーム２５に対して案内機能を果たすため、円滑に挿入することができる。
【００４２】
次に、フラットフレーム２５に壁パネル（図示せず）を取り付ける。なお、フラットフレーム２５はコーナー部以外の部分において壁パネルを支持するために使用される。
【実施例２】
【００４３】
図１３〜３１は本発明の実施例２を示している（実施例１の場合に対応する部分は、原則として同一の符号を持って示している）。本実施例は、本発明をユニットバスの防水パン１（特に本実施例では、洗い場部を構成するもの）のコーナー部における壁パネルの取付構造およびそれに用いるコーナーフレーム取付具２７に適用した例である。
【００４４】
使用する防水パン１は、実施例１で使用したものと同じものである。図１３は、防水パン１のコーナー部付近を図１の矢印Ａ方向に見た図であり、このコーナー部では、取付具取付区間５１は実質的に取付具取付位置５０のみからなり、取付具取付区間５１＝取付具取付位置５０と考えてよい。取付具取付区間５１においては下方突出部２ｄの最下部は水平に延びているが、その片側に隣接する隣接区間５３の部分は勾配をなしている。これにより、上方突出部２ｃの頂部と下方突出部２ｄの最下部との間の距離Ｌ（図１４参照）は、取付具取付区間５１では大きくされている一方、隣接区間５３においては、取付具取付区間５１から遠い位置では小さく、取付具取付区間５１へ近付く程、取付具取付区間５１における距離に近付くように漸次増大されている。
【００４５】
このコーナー部においては、実施例１の場合の防水パン１の中間部の場合とは異なり、下方突出部２ｄの厚さは全部分において同じ厚さとされている。
【００４６】
防水パン１のコーナー部のもう一つの辺（図１における上辺）においても、防水パン１の周壁部２は同様の構成とされている。
【００４７】
図１５〜１９は、本実施例におけるコーナーフレーム取付具２７の第一の部分２７ａを示している。この第一の部分２７ａは、防水パン１の周縁部のうちのコーナー部の一辺に取り付けられるものであり、その全体をメッキ鋼板、ステンレス鋼板等の１枚の金属板からプレス加工されて一体的に構成されている。この第一の部分２７ａは、基部４と、被取付物取付部５と、周壁部主部当接部６と、部分間当接部２８とを有している。
【００４８】
実施例１のフラットフレーム取付具３の場合と同様に、前記基部４は、外側部７と、跨がり部８と、上側内接部９と、下方受け部１０と、下側内接部１１とを有している。前記外側部７は、平面状をなしていて、防水パン１の上方突出部２ｃおよび下方突出部２ｄの外方に位置されるようになっている。前記外側部７の中央部には、半円状ないしはＵ字状の穴１２が設けられており、この穴１２に取り囲まれる部分には舌状片１３が形成されている。前記舌状片１３には球面状の突起部１４が設けられている。
【００４９】
前記跨がり部８は、１つのみ設けられており、防水パン１の上方突出部２ｃの上方に位置することとなるように外側部７から防水パン１内方へ向かう方向となる方向に折り曲げて形成されている。前記上側内接部９は、防水パン１の上方突出部２ｃの内方に位置することとなるように跨がり部８から下方に折り曲げられて形成されている。
【００５０】
前記下方受け部１０は、防水パン１の下方突出部２ｄの下方に位置することとなるように外側部７から防水パン１内方へ向かう方向となる方向に折り曲げられて形成されており、比較的に広い平面状をなしている。この下方受け部１０には、上方に突出する球面状の突起部１５が一対設けられている。前記下方受け部１０の幅方向の一方の端部には、やや下方に傾斜して両外側に突出する案内部１６が設けられている。前記下側内接部１１は、防水パン１の下方突出部２ｄの内方に位置することとなるように下方受け部１０から上方に折り曲げられて形成されている。
【００５１】
前記被取付物取付部５は、一つの跨がり部８と、背面部１７と、一つの側面部１８と、一つの抱え部１９とを有している。
【００５２】
前記被取付物取付部５の跨がり部８は、基部４のそれと同一のものである。したがって、本実施例では、跨がり部８は基部４の一部を構成する同時に被取付物取付部５の一部をも構成しており、実施例１のフラットフレーム取付具３の跨がり部８の機能とフレーム載置部２０の機能との両方を果たす。
【００５３】
前記背面部１７は、基部４の外側部７と同一平面をなしていて、外側部７に連続している。この背面部１７には、上端側を切り残され、下端が最も内方に突出するように斜めに切り起こされた切り起こし片２１が設けられている。この切り起こし片２１の下端は円弧状をなしている。前記背面部１７の上端には、やや外側に傾斜して上方に突出する案内部２２が設けられている。
【００５４】
前記側面部１８は、背面部１７の一方の側端から防水パン１内方へ向かう方向となる方向に折り曲げて形成されている。この側面部１８には、上端側を切り残され、下端が最も内方に突出するように斜めに切り起こされた矩形状の切り起こし片２３が上下方向に並べて一対設けられている。前記側面部１８の上端には、やや外側に傾斜して上方に突出する案内部２４が設けられている。
【００５５】
前記抱え部１９は、側面部１８の先端部から背面部１７と平行になるように内側に折り曲げて形成されている。抱え部１９の上端には、やや外側に傾斜して上方に突出する案内部３８が設けられている。
【００５６】
前記周壁部主部当接部６は、下方受け部１０から防水パン１の周壁部主部２ａの傾斜に合わせて斜め下方に折り曲げられて形成されている。
【００５７】
前記部分間当接部２８は、図１９によく示されているように、被取付物取付部５の背面部１７から４５度折り曲げられて形成されており、平面状なしている。この部分間当接部２８には、幅方向一端側を切り残され、幅方向他端が最も内方に突出するように斜めに切り起こされた切り起こし片２９が設けられている。この切り起こし片２９の前記幅方向他端は円弧状をなしている。
【００５８】
図２０〜２４は、本実施例におけるコーナー用取付具３の第二の部分２７ｂを示している。この第二の部分２７ｂは、前記第一の部分２７ａとは別体であって、防水パン１の周縁部のコーナー部のもう一つの辺に取り付けられるものであり、次に説明するように、基本的には第一の部分２７ａと同様の構成を有している。
【００５９】
すなわち、第二の部分２７ｂは、その全体をメッキ鋼板、ステンレス鋼板等の１枚の金属板からプレス加工されて一体的に構成されている。この第二の部分２７ｂは、基部４と、被取付物取付部５と、周壁部主部当接部６と、部分間当接部２８とを有している。
【００６０】
前記基部４は、外側部７と、跨がり部８と、上側内接部９と、下方受け部１０と、下側内接部１１とを有している。前記外側部７は、平面状をなしていて、防水パン１の上方突出部２ｃおよび下方突出部２ｄの外方に位置されるようになっている。前記外側部７の中央部には、半円状ないしはＵ字状の穴１２が設けられており、この穴１２に取り囲まれる部分には舌状片１３が形成されている。前記舌状片１３には球面状の突起部１４が設けられている。
【００６１】
前記跨がり部８は、１つのみ設けられており、防水パン１の上方突出部２ｃの上方に位置することとなるように外側部７から防水パン１内方へ向かう方向となる方向に折り曲げて形成されている。前記上側内接部９は、防水パン１の上方突出部２ｃの内方に位置することとなるように跨がり部８から下方に折り曲げられて形成されている。
【００６２】
前記下方受け部１０は、防水パン１の下方突出部２ｄの下方に位置することとなるように外側部７から防水パン１内方へ向かう方向となる方向に折り曲げられて形成されており、比較的に広い平面状をなしている。この下方受け部１０には、上方に突出する球面状の突起部１５が一対設けられている。前記下方受け部１０の幅方向一方の端部には、やや下方に傾斜して両外側に突出する案内部１６が設けられている。前記下側内接部１１は、防水パン１の下方突出部２ｄの内方に位置することとなるように下方受け部１０から上方に折り曲げられて形成されている。
【００６３】
前記被取付物取付部５は、一つの跨がり部８と、背面部１７と、一つの側面部１８と、一つの抱え部１９とを有している。
【００６４】
前記被取付物取付部５の跨がり部８は、基部４のそれと同一のものである。したがって、本実施例では、跨がり部８は基部４の一部を構成する同時に被取付物取付部５の一部をも構成しており、実施例１のフラットフレーム取付具３の跨がり部８の機能とフレーム載置部２０の機能との両方を果たす。
【００６５】
前記背面部１７は、基部４の外側部７と同一平面をなしていて、外側部７に連続している。この背面部１７には、上端側を切り残され、下端が最も内方に突出するように斜めに切り起こされた切り起こし片２１が設けられている。この切り起こし片２１の下端は円弧状をなしている。前記背面部１７の上端には、やや外側に傾斜して上方に突出する案内部２２が設けられている。
【００６６】
前記側面部１８は、背面部１７の一方の側端から防水パン１内方へ向かう方向となる方向に折り曲げて形成されている。この側面部１８には、上端側を切り残され、下端が最も内方に突出するように斜めに切り起こされた矩形状の切り起こし片２３が上下方向に並べて一対設けられている。前記側面部１８の上端には、やや外側に傾斜して上方に突出する案内部２４が設けられている。
【００６７】
前記抱え部１９は、側面部１８の先端部から背面部１７と平行になるように内側に折り曲げて形成されている。抱え部１９の上端には、やや外側に傾斜して上方に突出する案内部３８が設けられている。
【００６８】
前記周壁部主部当接部６は、下方受け部１０から防水パン１の周壁部主部２ａの傾斜に合わせて斜め下方に折り曲げられて形成されている。
【００６９】
前記部分間当接部２８は、図２４によく示されているように、被取付物取付部５の背面部１７から４５度折り曲げられて形成されており、平面状なしている。この部分間当接部２８には、円形の穴３０が明けられている。
【００７０】
第一の部分２７ａと第二の部分２７ｂとの主たる相違は、背面部１７に関し部分間当接部２８が反対側に設けられている点および第一の部分２７ａの部分間当接部２８には切り起こし片２９が設けられているのに対し第二の部分２７ｂの部分間当接部２８には穴３０が設けられている点である。
【００７１】
次に、図２５〜２８により、防水パン１のコーナー部に対するコーナーフレーム取付具２７の取付方法を説明する。
【００７２】
まず、図２５の一点鎖線で示されているように、第一の部分２７ａを、防水パン１のコーナー部の一辺側の周壁部２のうちの下方突出部２ｄが存在しない部分において、上方突出部２ｃが外側部７と下方受け部１０と下側内接部１１との間に収容される位置に位置させる。
【００７３】
次に、第一の部分２７ａを図２５の矢印で示されるように取付具取付位置５０（図２５において第一の部分２７ａが実線で示されている位置）まで水平方向（図２５における上方向）にスライドさせて行くと、図２６のように、第一の部分２７ａの外側部７と跨がり部８と上側内接部９との間に上方突出部２ｃが嵌合されるとともに、第一の部分２７ａの外側部７と下方受け部１０と下側内接部１１との間に下方突出部２ｄが嵌合され、第一の部分２７ａが防水パン１のコーナー部の一辺側に取り付けられる。
【００７４】
次に、同様にして、図２６に示されているように、第二の部分２７ｂを、防水パン１のコーナー部の他辺側の周壁部２のうちの下方突出部２ｄが存在しない部分から、既に取り付けられている第一の部分２７ａへ向かって水平方向（図２５における左方向）にスライドさせて行くと、図２７のように、第一の部分２７ａの部分間当接部２８に第二の部分２７ｂの部分間当接部２８が当接し、取付具取付位置５０において停止する。そして、これにより、第一の部分２７ａの場合と同様にして、第二の部分２７ｂの外側部７と跨がり部８と上側内接部９との間に上方突出部２ｃが嵌合されるとともに、第二の部分２７ｂの外側部７と下方受け部１０と下側内接部１１との間に下方突出部２ｄが嵌合され、第二の部分２７ｂが防水パン１のコーナー部の他辺側に取り付けられる。
【００７５】
本実施例においても、防水パン１のコーナー部の２つの辺において、それぞれ勾配をなす隣接区間５３が設けられていることにより、上方突出部２ｃの頂部と下方突出部２ｄの最下部との間の距離Ｌが、隣接区間５３においては、取付具取付区間５１（取付具取付位置５０）へ向かって漸次増大されているので、取付具取付位置５０まで第一および第二の部分２７ａ，２７ｂがスライドされると、跨がり部８と下方受け部１０との間に上方突出部２ｃおよび下方突出部２ｄがきつく挟まれるようにすることができるため、防水パン１に第一および第二の部分２７ａ，２７ｂを非常に強固に取り付けることができる。
【００７６】
また、本実施例では、第二の部分２７ｂをスライドさせて行くと、第一の部分２７ａの部分間当接部２８に第二の部分２７ｂの部分間当接部２８が当接し、第一の部分２７ａに対し第二の部分２７ｂが自ずと位置決めされるので、取付作業をより容易に行うことができる。
【００７７】
また、本実施例では、第一の部分２７ａの部分間当接部２８に第二の部分２７ｂの部分間当接部２８が当接するとき、図２７および２８のように、第一の部分２７ａの切り起こし片２９が第二の部分２７ｂの穴３０に嵌合するので、第一の部分２７ａと第二の部分２７ｂとを互いに対して動きにくくすることができる。
【００７８】
また、本実施例でも、実施例１のフラットフレーム取付具３の場合と同様にして、第一および第二の部分２７ａ，２７ｂの下方受け部１０に上方に突出する突起部１５が設けられており、これらの突起部１５が下方突出部２ｄに強く押圧されるため、防水パン１に取付具２６をより強固に取り付けることができる。その上、設計変更等により、防水パン１側の上方突出部２ｃの頂部と下方突出部２ｄの最下部との間の距離Ｌが多少変わっても、突起部１５の突出高さを調整することにより、取付具２６の他の部分には変更を加えることなく対応できる。
【００７９】
さらに本実施例においても、第一および第二の部分２７ａ，２７ｂに周壁部主部当接部６が設けられており、図２８のように、周壁部主部当接部６が周壁部主部２ａの外面に当接された状態で取付具２８が防水パン１の周壁部２に取り付けられるので、防水パン１に取付具２８をより安定した状態で取り付けることができる。
【００８０】
さらに本実施例では、第一および第二の部分２７ａ，２７ｂの下方受け部１０の幅方向端部に傾斜した案内部１６が設けられているので、前記のように各部分２７ａ，２７ｂをスライドさせるとき（図２５，２６参照）、案内部１６が下方突出部２ｄに対する案内機能を果たすため、円滑にスライドさせることができる。
【００８１】
図２９は本実施例におけるコーナーフレーム３１を示しており、下端部付近に２つの円形の穴３２を明けられているとともに段部３３を設けられている。防水パン１に取付具２７を取り付けた後、図３０および３１のように、コーナーフレーム３１の下端部を第一および第二の部分２７ａ，２７ｂの被取付物取付部５の背面部１７と側面部１８と抱え部１９との間に挿入し、コーナーフレーム３１の下端を第一および第二の部分２７ａ，２７ｂの跨がり部８に当接させると、コーナーフレーム３１がコーナーフレーム取付具２７の第一および第二の部分２７ａ，２７ｂに取り付けられる。この取り付け状態では、第一および第二の部分２７ａ，２７ｂの背面部１７の切り起こし片２１がコーナーフレーム３１の穴３２にそれぞれ嵌合するとともに、第一および第二の部分２７ａ，２７ｂの側面部１８の切り起こし片２３が弾性的にコーナーフレーム３１の側面に押圧される。これにより、本実施例でも、取付具２７に対するコーナーフレーム３１の取り付けをも、ビスを用いないで簡単かつ迅速、しかも強固に行うことができる。
【００８２】
さらに本実施例では、第一および第二の部分２７ａ，２７ｂの被取付物取付部５の背面部１７、側面部１８および抱え部１９の上端部に外開きに傾斜した案内部２２，２４，３８がそれぞれ設けられているので、前述のようにフラットフレーム２５の下端部を被取付物取付部５に挿入するとき、案内部２２，２４，３８がフラットフレーム２５に対して案内機能を果たすため、円滑に挿入することができる。
【００８３】
次に、コーナーフレーム３１に壁パネル（図示せず）を取り付ける。なお、コーナーフレーム３１はコーナー部において壁パネルを支持するために使用される。
【実施例３】
【００８４】
図３２〜３６は本発明の実施例３を示している。本実施例におけるユニットルーム構成部材はユニットバス用の浴槽と防水パンとの一体成形品３４である。
【００８５】
図３２および３３は、前記一体成形品３４のうちの浴槽周縁部３５と洗い場部分３６との境界付近を示しており、これらの図を基準にすると、左下方に該一体成形品３４の洗い場部分３６が連続して存在している（図３３には図示していない）。前記浴槽周縁部３５の周壁部２には、実施例１および２の場合と同様の横方向張り出し部２ｂ、上方突出部２ｃおよび下方突出部２ｄが一体的に設けられている（なお、本実施例においても、実施例１の場合に対応する部分は、原則として同一の符号を持って示している）。
【００８６】
本実施例においても、実施例２の場合と同様に、取付具取付区間５１は実質的に取付具取付位置５０のみからなり、取付具取付区間５１＝取付具取付位置５０と考えてよい。
【００８７】
図３４は本実施例におけるフラットフレーム取付具３を示している。その構成は実施例１のフラットフレーム取付具３と同様である。実施例１の場合との主たる相違点は、実施例１では基部４の直上に被取付物取付部５が設けられているのに対し、本実施例では、基部４に対し被取付物取付部５が図３４における右方にずらして設けられている点である。
【００８８】
本実施例においても、実施例１の場合と同様にして取付具３をスライドさせることにより、図３５および３６のように一体成形品３４に取り付けることができる。また、その後、実施例１の場合と同様にして、取付具３にフラットフレーム２５を取り付けることができる。
【００８９】
本実施例では、浴槽部分の上方では壁パネルの高さ方向の寸法が短くなる一方、洗い場部分３６の上方では壁パネルの高さ方向の寸法が長くなる関係上、フラットフレーム２５を洗い場部分３６側にずらして設置する必要があるが、本実施例の取付具３はそのような要求を満たすことができる。また、その他、実施例１の場合と同様の作用効果を得ることができる（ただし、実施例１と異なり、下方受け部１０には案内部１６が設けられていないので、その案内機能は得られない）。
【００９０】
なお、前記各実施例は、本発明をユニットバスに適用した例であるが、本発明はシャワー室、トイレ、洗面室、サニタリールーム等の他の種のユニットルームにも適用できるものである。
【００９１】
また、前記各実施例は、ユニットバスの洗い場部の防水パン１および浴槽と防水パンとの一体成形品３４に対する被取付物の取り付けに本発明を適用した例であるが、勿論、本発明は他の部分や他の用途に使用されるユニットルーム構成部材にも適用できるものである。
【００９２】
また、前記各実施例における被取付物は、フレームおよび壁パネルであったが、本発明における被取付物はバスエプロン、ドア、給水管、配水管等の他の種の被取付物であってもよい。
【００９３】
また、前記各実施例においては、防水パン１および一体成形品３４の横方向張り出し部２ｂは周壁部主部２ａの上端部から外側横方向に張り出しているが、横方向張り出し部２ｂは厳密な意味での周壁部主部２ａの上端部からではなく、上端部付近から外側横方向に張り出すようにしてもよい。また、前記実施例においては、防水パン１の上方突出部２ｃは横方向張り出し部２ｂの先端部から上方に立ち上がっているが、厳密な意味での横方向張り出し部２ｂの先端部ではなく、先端部付近から上方に立ち上がるようにしてもよい。
【００９４】
さらに前記各実施例においては、取付具３，２７の種々の隣り合う部分を互いに対して折り曲げて形成しているが、湾曲させて形成してもよい。
【産業上の利用可能性】
【００９５】
以上のように本発明は、ユニットバス等のユニットルーム構成部材に対し被取付物を取り付ける取付具および取付構造として有用である。
【符号の説明】
【００９６】
１    防水パン（ユニットルーム構成部材）
２    周壁部
２ａ  周壁部主部
２ｂ  横方向張り出し部
２ｃ  上方突出部
２ｄ  下方突出部
３    フラットフレーム取付具
４    基部
５    被取付物取付部
６    周壁部主部当接部
７    外側部
８    跨がり部
９    上側内接部
１０    下方受け部
１１    下側内接部
２５    フラットフレーム（被取付物）
２７    コーナーフレーム取付具
２７ａ  コーナーフレーム取付具の第一の部分
２７ｂ  コーナーフレーム取付具の第二の部分
２８    部分間当接部
３１    コーナーフレーム（被取付物）
３４    一体成形品（ユニットルーム構成部材）
３５    浴槽周縁部
３６    洗い場部分
５０    取付具取付位置
５１    取付具取付区間
５２，５３  隣接区間
５５    取付具取付位置の勾配部分
Ｌ      上方突出部頂部と下方突出部の最下部との間の距離
【図１】
0006473620.tif 000002
【図２】
0006473620.tif 000003
【図３】
0006473620.tif 000004
【図４】
0006473620.tif 000005
【図５】
0006473620.tif 000006
【図６】
0006473620.tif 000007
【図７】
0006473620.tif 000008
【図８】
0006473620.tif 000009
【図９】
0006473620.tif 000010
【図１０】
0006473620.tif 000011
【図１１】
0006473620.tif 000012
【図１２】
0006473620.tif 000013
【図１３】
0006473620.tif 000014
【図１４】
0006473620.tif 000015
【図１５】
0006473620.tif 000016
【図１６】
0006473620.tif 000017
【図１７】
0006473620.tif 000018
【図１８】
0006473620.tif 000019
【図１９】
0006473620.tif 000020
【図２０】
0006473620.tif 000021
【図２１】
0006473620.tif 000022
【図２２】
0006473620.tif 000023
【図２３】
0006473620.tif 000024
【図２４】
0006473620.tif 000025
【図２５】
0006473620.tif 000026
【図２６】
0006473620.tif 000027
【図２７】
0006473620.tif 000028
【図２８】
0006473620.tif 000029
【図２９】
0006473620.tif 000030
【図３０】
0006473620.tif 000031
【図３１】
0006473620.tif 000032
【図３２】
0006473620.tif 000033
【図３３】
0006473620.tif 000034
【図３４】
0006473620.tif 000035
【図３５】
0006473620.tif 000036
【図３６】
0006473620.tif 000037